(57)【要約】【課題】接着フィルムを挟んだフィルムのうち一方のフィルムのみを十分確実に選択的に剥離除去できる異方導電接続用フィルムを提供する。【解決手段】上記課題を達成する本発明の異方導電接続用フィルムは、第１のフィルム１１と、接着フィルム１２と、第２のフィルム１３とがこの順に積層された積層体１５を備える帯状の異方導電接続用フィルム１０であって、接着フィルム１２が、第２のフィルム１３の長手方向の端面１３ａと接着フィルム１２の主面１２ｂとの交差部Ｘを面内に有しかつ接着フィルム１２の主面１２ｂと直交する基準面１６よりも張り出している。【選択図】  図１
2008293751.tif 000002
【特許請求の範囲】
【請求項１】
第１のフィルムと、接着フィルムと、第２のフィルムと、がこの順に積層された積層体を備える帯状の異方導電接続用フィルムであって、
前記接着フィルムが、前記第２のフィルムの長手方向の端面と前記接着フィルムの主面との交差部を面内に有しかつ前記接着フィルムの前記主面と直交する基準面よりも張り出している異方導電接続用フィルム。
【請求項２】
前記第２のフィルムの前記端面を指示するための指示手段を更に備える、請求項１記載の異方導電接続用フィルム。
【請求項３】
巻芯と、その巻芯に巻回した請求項１又は２に記載の異方導電接続用フィルムと、を備えるリール体。
【発明の詳細な説明】
【技術分野】
【０００１】
本発明は、異方導電接続用フィルム及びリール体に関するものである。
【背景技術】
【０００２】
従来、相対向する回路基板や電子部品を加熱、加圧し、選択的に加圧方向の電極や端子間を電気的に接続する接続材料として、異方導電性フィルム（以下、ＡＣＦという）や、絶縁性接着フィルム（以下、ＮＣＦという）などの回路接続材料が使用されている。ＡＣＦは、プリント配線基板、ＬＣＤ用ガラス基板、フレキシブルプリント基板等の基板や、ＩＣ、ＬＳＩ等の半導体素子やパッケージなどを接続する際、相対向する電極間に配置され、加熱加圧によって、電極や端子同士を選択的に接続する。すなわち、ＡＣＦ及びＮＣＦは、相対向する電極や端子同士の導電性と、隣接する電極や端子同士の絶縁性とを両立する異方導電接続を発現する。こうして、これらの接着フィルムは、回路基板や電子部品間の電気的接続及び機械的接続（接着）の両方の機能を有する。
【０００３】
代表的なＡＣＦ及びＮＣＦには、エポキシ樹脂系接着剤又はアクリル系接着剤等の接着剤成分が好適に使用されている。例えばＡＣＦは、上記接着剤成分中に必要により配合される導電性粒子を分散させてなる。これらの接着フィルムは、ＰＥＴ（ポリエチレンテレフタレート）フィルム等の支持フィルムに積層した帯状の態様で製品化されている。また、それらの接着フィルムの表面を外気中の粉塵などから保護するために、接着フィルムの支持フィルムとは反対側の主面上に保護フィルムが更に積層される場合もある（例えば特許文献１参照）。
【０００４】
図４に、上述の支持フィルム、接着フィルム及び保護フィルムを積層した三層構造の異方導電接続用フィルムの従来例を示す。図４は、従来の異方導電接続用フィルムの長手方向における端部を示している。異方導電接続用フィルム４０は、支持フィルム４１、ＡＣＦ等の接着フィルム４２、及び保護フィルム４３をこの順に積層した構成を有している。従来の異方導電接続用フィルム４０は、上記各フィルム４１、４２及び４３を積層した後、所定の長さになるよう、積層方向に対して垂直に切断して得られる。そのため、この異方導電接続用フィルム４０の長さ方向の端面４ａは積層方向に直交しており、しかも、それぞれのフィルム４１、４２及び４３の端面は互いに面一になっている。
【０００５】
このような三層構造の異方導電接続用フィルム４０を用いた回路基板や電子部品における電極等の接続は、通常、下記のようにして行われる。まず、異方導電接続用フィルム４０から保護フィルム４３を剥離除去する。次いで、露出した接着フィルム４２の一方の主面を回路基板等の被着体表面に接触させて仮圧着する。その後、支持フィルム４１を剥離除去する。そして、露出した接着フィルム４２のもう一方の主面を、別の被着体表面に接触させて、それらの積層方向に加圧しながら加熱することにより（本圧着）、それらの回路基板等が備える電極等の接続が完了する。保護フィルム４３の剥離除去は、例えば指などを用いて接着フィルム４２及び保護フィルム４３間を剥離して行われる。
【特許文献１】特開２００４−２１１０１７号公報
【発明の開示】
【発明が解決しようとする課題】
【０００６】
ところで、近年、各種電子機器の小型化に伴い、その電子機器に備えられる回路基板や電子部品も次第に小型化されている。これにより、ＡＣＦ等の接着フィルムはその薄膜化と共にフィルム幅を一層狭くすることが求められている。
【０００７】
しかしながら、図４に示すような従来の異方導電接続用フィルム４０は、薄膜化及びフィルム幅の狭小化に伴い、保護フィルム４３を選択的に剥離除去することが次第に困難になっている。すなわち、この異方導電接続用フィルム４０は、端面４ａが上述のような態様になっているため、膜厚が薄くなったりフィルム幅が狭くなったりすると、指などにより保護フィルム４３及び接着フィルム４２間のみを剥離するのが困難になる。
【０００８】
また、接着テープを保護フィルム４３及び支持フィルム４１の露出した主面に貼り付けて、それらを互いに引っ張ることで保護フィルム４３を剥離除去する方法も考えられる。この方法で剥離する場合、保護フィルム４３及び接着フィルム４２間の剥離強度よりも、支持フィルム４１及び接着フィルム４２間の剥離強度がある程度高くなければならない。ところが、これらの剥離強度は接着フィルム４２の構成材料にも依存し、その構成材料は接着フィルム４２の用途によって決定される。そのため、接着テープを用いた方法により保護フィルム４３を選択的に剥離除去するのに必要とされる上記剥離強度が得られない場合もある。
【０００９】
そこで、本発明は上記事情にかんがみてなされたものであり、接着フィルムを挟んだフィルムのうち一方のフィルムのみを十分確実に選択的に剥離除去できる異方導電接続用フィルム、並びにその異方導電接続用フィルムを備えたリール体を提供することを目的とする。
【課題を解決するための手段】
【００１０】
上記目的を達成するために、本発明は、第１のフィルムと、接着フィルムと、第２のフィルムとがこの順に積層された積層体を備える帯状の異方導電接続用フィルムであって、接着フィルムが、第２のフィルムの長手方向の端面と接着フィルムの主面との交差部を面内に有しかつ接着フィルムの主面と直交する基準面よりも張り出している異方導電接続用フィルムを提供する。
【００１１】
従来の異方導電接続用フィルム４０の場合、接着フィルム４２及び支持フィルム４１に触れることなく、保護フィルム４３のみを撮むことは実質的に不可能である。したがって、このような異方導電接続用フィルム４０の保護フィルム４３を選択的に剥離除去することは非常に困難である。
【００１２】
一方、本発明の異方導電接続用フィルムは、接着フィルムが上述の基準面よりも張り出していることにより、第２のフィルムを指などで撮むことなく、少なくとも接着フィルムのみを撮むことが可能となる。そして、撮んだ接着フィルム及び場合によってはそれに加えて第１のフィルムを、積層方向の第１のフィルム側に折り曲げれば、第２のフィルムの曲げ弾性の働きにより、第２のフィルム及び接着フィルムが互いに引っ張られる方向に力が加わる。これによって、第２のフィルムがその長さ方向の端面側から剥離する。その後、更に第２のフィルムの剥離した部分を撮んで、あるいは、第２のフィルム及び第１のフィルムに貼り付けた接着テープを持って、接着フィルム及び第２のフィルムを互いに離間する方向に引っ張れば、十分確実に第２のフィルムのみを選択的に剥離除去することができる。
【００１３】
本発明の異方導電接続用フィルムは、第２のフィルムの端面を指示するための指示手段を更に備えると好適である。これにより、異方導電接続用フィルムが小型化されても、第２のフィルムの端面を容易に視認することができるため、第２のフィルムに触れることなく、接着フィルム等のみを更に容易に撮むことができる。その結果、より確実かつ簡便に第２のフィルムを剥離除去することができる。
【００１４】
また、本発明は、巻芯と、その巻芯に巻回した上述の異方導電接続用フィルムとを備えるリール体を提供する。このリール体から引き出した異方導電接続用フィルムは、上述の構成を備えているため、十分確実に第２のフィルムのみを選択的に剥離除去することができる。
【発明の効果】
【００１５】
本発明によれば、接着フィルムを挟んだフィルムのうち一方のフィルムのみを十分確実に選択的に剥離除去できる異方導電接続用フィルムが提供される。
【発明を実施するための最良の形態】
【００１６】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１７】
図１は、本発明の好適な第１の実施形態に係る帯状の異方導電接続用フィルムの長手方向端部を模式的に示す断面図である。本実施形態の異方導電接続用フィルム１０は、第１のフィルムである支持フィルム１１と、接着フィルム１２と、第２のフィルムである保護フィルム１３とがこの順に積層された積層体１５を備えている。また、この異方導電接続用フィルム１０は、保護フィルム１３の接着フィルム１２とは反対側の主面上に、保護フィルム１３の端面１３ａを指示するための指示手段１８を備えている。
【００１８】
異方導電接続用フィルム１０の幅は０．３〜３２０ｍｍであると好ましく、０．５〜１０ｍｍであるとより好ましい。これにより、本発明による保護フィルムのみを選択的に剥離除去できるという有利な効果を一層有効に奏することができる。
【００１９】
この第１の実施形態において、支持フィルム１１、接着フィルム１２及び保護フィルム１３の長手方向Ｌの端面１１ａ、１２ａ及び１３ａは、積層体１５の積層方向Ｓに平行な面となっている。これらの端面のうち、支持フィルム１１の端面１１ａ及び接着フィルム１２の端面１２ａは、互いに面一となっている。また、支持フィルム１１及び接着フィルム１２は、保護フィルム１３の端面１３ａよりも張り出しており、その結果、接着フィルム１２の主面１２ｂの一部が露出している。
【００２０】
保護フィルム１３の端面１３ａは、本発明における基準面１６、すなわち保護フィルムの端面１３ａと接着フィルム１２の主面１２ｂとの交差部Ｘを面内に有しかつ接着フィルム１２の主面１２ｂと直交する面と面一となっている。つまり、接着フィルム１２は、基準面１６よりも張り出している。
【００２１】
本実施形態の異方導電接続用フィルム１０は、接着フィルム１２が基準面１６よりも張り出していることにより、保護フィルム１３を指などで撮むことなく、支持フィルム１１及び接着フィルム１２のみを選択的に撮むことが可能となる。そして、撮んだそれらのフィルム１１及び１２を、積層体１５の積層方向Ｓ支持フィルム１１側に折り曲げれば、保護フィルム１３の曲げ弾性の働きにより、フィルム１１及び１２と保護フィルム１３とが互いに引っ張られる方向に力が加わる。これによって、保護フィルム１３が端面１３ａ側から剥離する。その後、更に保護フィルム１３の剥離した部分を撮む等して、フィルム１１及び１２と保護フィルム１３とを互いに離間する方向に引っ張れば、十分確実に保護フィルム１３のみを選択的に剥離除去することができる。
【００２２】
接着フィルム１２の主面１２ｂは、接着フィルム１２及び支持フィルム１１を指などで選択的に撮むことが可能な程度に露出していると好ましい。具体的には、保護フィルム１３の端面１３ａ及び接着フィルム１２の端面１２ａ間の距離Ｄが好ましくは１〜１００ｍｍ、より好ましくは５〜８０ｍｍ、更に好ましくは１０〜５０ｍｍとなるように露出していると好ましい。この距離Ｄが１ｍｍ未満であると、支持フィルム１１及び接着フィルム１２を選択的に撮み難くなる傾向にある。一方、距離Ｄが１００ｍｍを超えると、保護フィルム１３の剥離除去容易性はほとんど変わらないものの、保護すべき接着フィルム１２表面の露出部分が多くなり、接着フィルム１２の損失が大きくなる傾向にある。
【００２３】
支持フィルム１１は単層であってもよく、２層以上を積層した構成のものでもよい。支持フィルム１１は、ポリエチレンテレフタレート（ＰＥＴ）フィルム、配向ポリプロピレン（ＯＰＰ）フィルム、ポリエチレン（ＰＥ）フィルム及びポリイミドフィルムからなる群より選ばれる１種以上のフィルムを備えることが好ましい。それらの中でも、耐熱性が高くコストを低減できる点からＰＥＴフィルム及び／又はＯＰＰフィルムが好ましく、ＰＥＴフィルムがより好ましい。
【００２４】
また、支持フィルム１１は、接着フィルム１２が設けられる側の主面を必要に応じて離型処理剤で処理したものであってもよく、その主面に粗化処理を施されたものであってもよい。離型処理剤としては、例えば、シリコーン、シリコーンアルキッド、アミノアルキッド、アルキルアルキッド及びメラミンが挙げられる。また、支持フィルム１１は、その主面をポリマー等でコーティングしたものでもよい。これらの処理は、１種を単独で又は２種以上を組み合わせてもよい。
【００２５】
接着フィルム１２は、支持基材上に接着剤組成物を塗布し乾燥することにより得られる。この接着フィルム１２は、支持フィルム１１の主面上に接着剤組成物を塗布し乾燥することにより支持フィルム１１上に形成してもよい。あるいは、支持フィルム１１とは別の支持基材上に接着剤組成物を塗布し乾燥して得られたフィルムを、その支持基材から剥離した後、支持フィルム１１の主面上にラミネートすることにより支持フィルム１１上に形成してもよい。
【００２６】
接着フィルム１２は単層であってもよく、２層以上を積層した構成を有するものであってもよい。この場合、接着フィルム１２は、上述のようにして形成した接着フィルムを下地層として、その上に接着フィルムを更に形成することで得られる。あるいは、支持フィルム１１上に上述のようにして形成された接着フィルムと、保護フィルム１３上に同様に形成された接着フィルムとを互いに対向させて圧着することで得られるものであってもよい。
【００２７】
接着フィルム１２の原料となる接着剤組成物は、異方導電接続を可能にするものであると好ましい。よって、この接着剤組成物は、熱可塑性樹脂、ラジカル重合性化合物及びラジカル重合開始剤を含むものであってもよい。あるいは、この接着剤組成物は、熱可塑性樹脂、熱硬化性樹脂及び潜在性硬化剤を含むものであってもよい。上述の接着剤組成物に含まれる各成分は、従来のいわゆる異方導電性接着剤に含まれるものであればよい。
【００２８】
上述の接着剤組成物は、従来の異方導電性接着剤に含まれるものと同様の導電性粒子を含んでもよく、含まなくてもよい。導電性粒子を含む接着剤組成物から形成される接着フィルム１２は、導電性粒子を介して対向する電極及び／又は端子間を選択的に接続すると共に、それらを備える基板や装置を接着する。導電性粒子を含まない接着剤組成物から形成される接着フィルム１２は、対向する電極及び又は端子間を直接接触させて、それらを備える基板や装置を接着することにより、それらの電極及び／又は端子間を選択的に接続する。
【００２９】
さらにこの接着剤組成物は、上述した各成分以外にも従来の異方導電性接着剤に含まれる成分を含んでもよい。
【００３０】
接着フィルム１２が２層以上を積層した構成を有する場合、各層は互いに同一の組成であっても異なる組成であってもよい。すなわち、各層の原料である接着剤組成物の組成が互いに同一であっても異なっていてもよく、導電性粒子を含む層及び導電性粒子を含まない層の両方が備えられていてもよい。例えば、接着フィルム１２が２層を積層した構成を備える場合、支持フィルム１１側の層が導電性粒子を含まない層であって、保護フィルム１３側の層が導電性粒子を含む層であってもよい。
【００３１】
保護フィルム１３は単層であってもよく、２層以上を積層した構成を有するものであってもよい。保護フィルムとしては、例えば、ポリエチレンテレフタレート（ＰＥＴ）フィルム、配向ポリプロピレン（ＯＰＰ）フィルム、ポリエチレン（ＰＥ）フィルム及ぶポリイミドフィルムからなる群より選ばれる１種以上のフィルムを備えることが好ましい。これらの中では、曲げ弾性が高くコストを低減する観点からＯＰＰ又はＰＥＴフィルムが好適であり、ＰＥＴフィルムがより好ましい。
【００３２】
保護フィルム１３を接着フィルム１２上に配置する方法としては、接着フィルム１２表面にさらに保護フィルム１３をラミネーター等で積層する方法が挙げられる。あるいは、支持フィルム１１上に上述のようにして形成された接着フィルムと、保護フィルム１３上に同様に形成された接着フィルムとを互いに対向させて圧着することで得られるものであってもよい。
【００３３】
保護フィルム１３は、必要に応じて離型処理剤で表面処理してもよく、その表面を粗化処理してもよい。離型処理剤としてはシリコーン、シリコーンアルキッド、アミノアルキッド、アルキルアルキッド、メラミン等が挙げられる。また、保護フィルム１３の表面をポリマー等でコーティングしてもよい。これらは１種を単独で又は２種以上を組み合わせて行うことができる。
【００３４】
支持フィルム１１及び接着フィルム１２を基準面１６よりも張り出させる方法としては、支持フィルム１１、接着フィルム１２及び保護フィルム１３の積層体を得た後に、保護フィルム１３の端部のみを選択的に切断する方法が挙げられる。あるいは、支持フィルム１１及び接着フィルム１２の積層体を形成した後に、予め接着フィルム１２の主面１２ｂの一部が露出するように保護フィルム１３を配置してラミネートする方法が挙げられる。
【００３５】
また、支持フィルム１１及び接着フィルム１２間の剥離強度と保護フィルム１３及び接着フィルム１２間の剥離強度との差は、０．００１〜１０Ｎ／ｍであると好ましい。異方導電接続用フィルム１０は、保護フィルム１３を選択的に剥離除去するために、支持フィルム１１及び接着フィルム１２間の方が保護フィルム１３及び接着フィルム間よりも剥離強度が強い方がよい。一方、回路基板等の被着体に接着フィルム１２を圧着した後に支持フィルム１１を剥離除去することを考慮すると、被着体及び接着フィルム１２間の方が支持フィルム１１及び接着フィルム１２間よりも剥離強度が強い方がよい。これらを総合的に考慮すると、上記数値範囲内にある剥離強度の差が好ましい。
【００３６】
従来の異方導電接続用フィルムにおいて、剥離強度の差がこの数値範囲内にあると、保護フィルムのみを選択的に剥離除去するのが困難な傾向にある。ところが、本発明によれば、このような異方導電接続用フィルム１０においても、十分確実に保護フィルム１３のみを選択的に剥離除去することができる。
【００３７】
なお、本発明における剥離強度は、レオメータによって測定されるものである。
【００３８】
上述の剥離強度の差は、支持フィルム１１及び接着フィルム１２間の剥離強度、及び／又は、保護フィルム１３及び接着フィルム１２間の剥離強度を下記のようにして調整することにより、上記数値範囲内に収めることができる。具体的には、剥離強度を高めるには、接着フィルム１２の原料である接着剤組成物中の樹脂（熱可塑性樹脂）の含有量を少なくしたり、その樹脂のガラス転移温度（Ｔｇ）を低くしたり、ラジカル重合性化合物や熱硬化性樹脂の含有量を多くしたり、支持フィルム１１及び保護フィルム１３の表面を粗化処理したりすればよい。あるいは、剥離強度を高めるには、接着フィルム１２が導電性粒子や絶縁性の固体粒子を含む場合、それらの含有量を少なくすればよい。あるいは、剥離強度を低くするには、支持フィルム１１や保護フィルム１３を離型処理剤で表面処理したり、それらのフィルムの厚みを薄くしたりすればよい。
【００３９】
支持フィルム１１、接着フィルム１２及び保護フィルム１３の厚みは、その用途等によって調整されればよく、特に制限されるものではない。ただし、上述のとおり、支持フィルム１１及び保護フィルム１３の厚みは、単位幅あたりの引張伸び率の差異が小さくなるように調整されると好ましく、剥離強度の差が上記数値範囲内に収まるように調整されると好適である。
【００４０】
指示手段１８は、保護フィルム１３の端面１３ａを指示するためのものである。特に保護フィルム１３が透明又は半透明である場合、その端面１３ａを目視にて確認することは困難である。そこで、指示手段１８によって、端面１３ａの位置を確認できるようにすれば、保護フィルム１３の剥離除去処理を更に容易に行うことができる。この指示手段１８は、目視にて確認できるものであればよく、例えば黒色の帯状部材であって、その長手方向軸が保護フィルム１３の端面１３ａと平行になるようにして、図示するような位置に設けられるものであると好ましい。
【００４１】
本実施形態の異方導電接続用フィルム１０は、巻芯（図示せず）に巻回されてリール体を形成する。このようにリール体を構成することにより、異方導電接続用フィルム１０の取り扱い性が向上する。
【００４２】
図２は、本発明の好適な第２の実施形態に係る帯状の異方導電接続用フィルムの長手方向端部を模式的に示す断面図である。本実施形態の異方導電接続用フィルム２０は、支持フィルム２１と、接着フィルム２２と、保護フィルム２３とがこの順に積層された積層体２５を備えている。
【００４３】
この第２の実施形態において、支持フィルム２１、接着フィルム２２及び保護フィルム２３の長手方向Ｌの端面２１ａ、２２ａ及び２３ａは、積層体２５の積層方向Ｓに平行な面となっている。支持フィルム１１は接着フィルム２２の端面２２ａよりも張り出しており、接着フィルム２２は保護フィルム２３の端面２３ａよりも張り出している。その結果、支持フィルム２１の主面２１ｂ及び接着フィルム２２の主面２２ｂの一部が露出している。
【００４４】
保護フィルム２３の端面２３ａは、本発明における基準面２６、すなわち保護フィルム２３の端面２３ａと接着フィルム２２の主面２２ｂとの交差部Ｘを面内に有しかつ接着フィルム２２の主面２２ａと直交する面と面一となっている。つまり、接着フィルム２２は、基準面２６よりも張り出している。
【００４５】
また、接着フィルム２２の端面２２ａは、基準面２７、すなわち接着フィルム２２の端面２２ａと支持フィルム２１の主面２１ｂとの交差部Ｙを面内に有しかつ支持フィルム２１の主面２１ｂと直交する面と面一となっている。つまり、支持フィルム２１は、基準面２７よりも張り出している。
【００４６】
本実施形態の異方導電接続用フィルム２０は、接着フィルム２２が基準面２６よりも張り出していることにより、保護フィルム２３を指などで撮むことなく、支持フィルム２１及び接着フィルム２２のみを選択的に撮むことが可能となる。そして、撮んだそれらのフィルム２１及び２２を、積層体２５の積層方向Ｓ支持フィルム２１側に折り曲げれば、保護フィルム２３の曲げ弾性の働きにより、フィルム２１及び２２と保護フィルム２３とが互いに引っ張られる方向に力が加わる。これによって、保護フィルム２３が端面２３ａ側から剥離する。その後、更に保護フィルム２３の剥離した部分を撮む等して、フィルム２１及び２２と保護フィルム２３とを互いに離間する方向に引っ張れば、十分確実に保護フィルム２３のみを選択的に剥離除去することができる。
【００４７】
また、本実施形態の異方導電接続用フィルム２０は、支持フィルム２１が基準面２７よりも張り出していることにより、保護フィルム２３及び接着フィルム２２を指などで撮むことなく、支持フィルム２１のみを選択的に撮むことも可能となる。そして、撮んだ支持フィルム２１を、積層体２５の積層方向Ｓ支持フィルム２１側に折り曲げれば、保護フィルム２３の曲げ弾性の働きにより、フィルム２１及び２２と保護フィルム２３とが互いに引っ張られる方向に力が加わる。これによって、保護フィルム２３が端面２３ａ側から剥離する。その後、更に保護フィルム２３の剥離した部分を撮む等して、フィルム２１及び２２と保護フィルム２３とを互いに離間する方向に引っ張れば、十分確実に保護フィルム２３のみを選択的に剥離除去することができる。特に支持フィルム２１及び接着フィルム２２間の剥離強度が、保護フィルム２３及び接着フィルム２２間の剥離強度よりも大きい場合、この剥離除去はより確実に行うことができる。
【００４８】
支持フィルム２１の主面２１ｂ及び接着フィルム２２の主面２２ｂは、支持フィルム２１及び接着フィルム２２を指などで選択的に撮むことが可能な程度に露出していると好ましい。具体的には、接着フィルム２２の端面２２ａ及び支持フィルム２１の端面２１ａ間の距離Ｄ１が好ましくは１〜１００ｍｍ、より好ましくは５〜８０ｍｍ、更に好ましくは１０〜５０ｍｍとなるように露出していると好ましい。また、保護フィルム２３の端面２３ａ及び接着フィルム２２の端面２２ａ間の距離Ｄ２が好ましくは１０〜２００ｃｍ、より好ましくは５０〜１５０ｃｍとなるように露出していると好ましい。
【００４９】
本実施形態のそれ以外の点については、第１の実施形態と同様である。
【００５０】
図３は、本発明の好適な第３の実施形態に係る帯状の異方導電接続用フィルムの長手方向端部を模式的に示す断面図である。本実施形態の異方導電接続用フィルム３０は、支持フィルム３１と、接着フィルム３２と、保護フィルム３３とがこの順に積層された積層体３５を備えている。
【００５１】
この第３の実施形態において、支持フィルム３１、接着フィルム３２及び保護フィルム３３の長手方向Ｌの端面３１ａ、３２ａ及び３３ａは、積層体３５の積層方向Ｓに対して傾斜した面となっている。この傾斜は、支持フィルム３１が接着フィルム３２の端面３２ａよりも張り出しており、接着フィルム３２が保護フィルム３３の端面３３ａよりも張り出すように形成されている。
【００５２】
保護フィルム３３の端面３３ａは、本発明における基準面３６、すなわち保護フィルム３３の端面３３ａと接着フィルム３２の主面３２ｂとの交差部Ｘを面内に有しかつ接着フィルム３２の主面３２ｂと直交する面と面一となっている。つまり、接着フィルム３２は、基準面３６よりも張り出している。
【００５３】
接着フィルム３２の端面３２ａは、基準面３７、すなわち接着フィルム３２の端面３３ａと支持フィルム３１の主面３１ｂとの交差部Ｙを面内に有しかつ支持フィルム３１の主面３１ｂと直交する面と面一となっている。つまり、支持フィルム３１は、基準面３７よりも張り出している。
【００５４】
本実施形態の異方導電接続用フィルム３０は、接着フィルム３２が基準面３６よりも張り出していることにより、保護フィルム３３を指などで撮むことなく、支持フィルム３１及び接着フィルム３２のみを選択的に撮むことが可能となる。そして、撮んだそれらのフィルム３１及び３２を、積層体３５の積層方向Ｓ支持フィルム３１側に折り曲げれば、保護フィルム３３の曲げ弾性の働きにより、フィルム３１及び３２と保護フィルム３３とが互いに引っ張られる方向に力が加わる。これによって、保護フィルム３３が端面３３ａ側から剥離する。その後、更に保護フィルム３３の剥離した部分を撮む等して、フィルム３１及び３２と保護フィルム３３とを互いに離間する方向に引っ張れば、十分確実に保護フィルム３３のみを選択的に剥離除去することができる。
【００５５】
また、本実施形態の異方導電接続用フィルム３０は、支持フィルム３１が基準面３７よりも張り出していることにより、保護フィルム３３及び接着フィルム３２を指などで撮むことなく、支持フィルム３１のみを選択的に撮むことも可能となる。そして、撮んだ支持フィルム３１を、積層体３５の積層方向Ｓ支持フィルム３１側に折り曲げれば、保護フィルム３３の曲げ弾性の働きにより、フィルム３１及び３２と保護フィルム３３とが互いに引っ張られる方向に力が加わる。これによって、保護フィルム３３が端面３３ａ側から剥離する。その後、更に保護フィルム３３の剥離した部分を撮む等して、フィルム３１及び３２と保護フィルム３３とを互いに離間する方向に引っ張れば、十分確実に保護フィルム３３のみを選択的に剥離除去することができる。特に支持フィルム３１及び接着フィルム３２間の剥離強度が、保護フィルム３３及び接着フィルム３２間の剥離強度よりも大きい場合、この剥離除去はより確実に行うことができる。
【００５６】
上記端面の傾斜は、支持フィルム３１及び接着フィルム３２を指などで選択的に撮むことが可能な程度に露出していると好ましい。具体的には、保護フィルム３３の端面３３ａと接着フィルム３２の主面３２ｂとの交差部Ｘと、接着フィルム３２の端面３２ａと支持フィルム３１の主面３１ｂとの交差部Ｙとの間の距離Ｄ１が好ましくは１〜１００ｍｍ、より好ましくは５〜８０ｍｍ、更に好ましくは１０〜５０ｍｍとなるように傾斜していると好ましい。また、接着フィルム３２の端面３２ａと支持フィルム３１の主面３１ｂとの交差部Ｙと、支持フィルム３１の端面３１ａの下端部Ｚとの間の距離Ｄ２が好ましくは１ｍｍ〜２００ｃｍ、より好ましくは５ｍｍ〜１５０ｃｍとなるように傾斜していると好ましい。
【００５７】
本実施形態のそれ以外の点については、第１の実施形態と同様である。
【００５８】
以上、本発明の好適な実施形態について説明したが、本発明は上記実施形態に限定されるものではない。本発明は、その要旨を逸脱しない範囲で様々な変形が可能である。
【００５９】
例えば、本発明の第２及び第３の実施形態において、第１の実施形態と同様に、保護フィルムの接着フィルム側とは反対側の主面上に指示手段を備えていてもよい。なお、第３の実施形態においては保護フィルム３３の端面３３ａの下端（Ｘ）を指示するために、端面３３ａ上に指示手段が備えられていてもよい。また、指示手段は、保護フィルムに直接油性インク等で書かれたものであってもよい。
【００６０】
また、指示手段に代えて保護フィルムの一部又は全部を着色することにより、その端面を目視にて確認できるようしてもよい。あるいは、保護フィルムがポリエチレンテレフタレートフィルムである場合、その保護フィルムに紫外線を照射した状態であれば、その端面を目視にて確認することができる。
【図面の簡単な説明】
【００６１】
【図１】本発明の第１実施形態に係る異方導電接続用フィルムの一部を示す模式断面図である。
【図２】本発明の第２実施形態に係る異方導電接続用フィルムの一部を示す模式断面図である。
【図３】本発明の第３実施形態に係る異方導電接続用フィルムの一部を示す模式断面図である。
【図４】従来の異方導電接続用フィルムの一部を示す模式断面図である。
【符号の説明】
【００６２】
１０、２０、３０…異方導電接続用フィルム、１１、２１、３１…支持フィルム、１２、２２、３２…接着フィルム、１３、２３、３３…保護フィルム、１５、２５、３５…積層体、１８…指示手段。
【図１】
2008293751.tif 000003
【図２】
2008293751.tif 000004
【図３】
2008293751.tif 000005
【図４】
2008293751.tif 000006